(57)【特許請求の範囲】
【請求項１】
液状の薬剤を収容する薬液タンク、及び薬液タンクの下方に設けられた薬液吐出ノズルからなり、薬液吐出ノズルの先端開口部から水洗トイレの手洗い付きロータンクに薬剤を吐出する薬液吐出容器であって、該薬液吐出容器の底部に、薬液吐出ノズルを中心として放射状に起立した４〜１２枚の板状部が設けられ、カランから供給された水が、薬剤が保持されている薬液吐出ノズルの先端開口部を洗う薬液吐出容器。
【請求項２】
薬液タンク内が弱い負圧状態になることにより、薬剤が薬液吐出ノズルの先端開口部に保持される請求項１記載の薬液吐出容器。
【請求項３】
薬液吐出ノズルの周囲に、該薬液吐出ノズルの吐出方向に沿って伸びた３〜８枚の水量調整板が設けられている請求項１又は２記載の薬液吐出容器。
【請求項４】
薬液吐出ノズルの吐出孔の内径が絞りノズルである請求項１〜３のいずれかに記載の薬液吐出容器。
【請求項５】
薬液吐出ノズルの先端縁部が鋭角である請求項１〜４のいずれかに記載の薬液吐出容器。
【発明の詳細な説明】
【０００１】
【発明の属する技術分野】
本発明は、水洗トイレの手洗い付きロータンクの手洗い部に載置し、手洗い部の上方のカランから給水により、ロータンク内に薬剤（芳香剤、洗浄剤、殺菌剤等）を吐出する薬液吐出容器に関する。
【０００２】
【従来の技術】
水洗トイレの手洗い付きロータンクの手洗い部に載置し、手洗い部の上方のカランから供給される水に薬剤（芳香剤、洗浄剤、殺菌剤等）を混合するために用いる薬液供給具として、特許文献１に記載されている水洗トイレ用薬剤供給具が知られている。この薬剤供給具は、液状の薬剤を収容する薬液タンク（薬剤容器）の底部に薬剤の導出孔を設け、その導出孔から薬剤を含浸体に導出して含浸させると共に、その含浸体が、カランから手洗い部に供給された水の流れに晒されるようにし、含浸体に含まれていた薬剤が水に溶解し、ロータンク内に流下するようにしたものである。
【０００３】
【特許文献１】特開２００１−３４２６６６号
【０００４】
【発明が解決しようとする課題】
上述の薬剤供給具は構造的に複雑であり、製造コストが高くつく。これに対し、より単純な機構のものとしては、図８（ａ）に示すように、液状の薬剤Ａを収容する薬液タンク１と薬液タンク１の底部開口部２に取り付けたキャップ３からなり、キャップ３に薬液吐出ノズル４と足６を設けた薬液吐出容器１００ｘが考えられる。薬液吐出ノズル４の先端開口部５には、薬剤Ａが、表面張力と薬液タンク１内が弱い負圧状態になることにより保持される。
【０００５】
図８（ｂ）に示すように、この薬液吐出容器１００ｘを、ロータンクの手洗い部２０の吸水口２１上に載置し、水洗トイレの水をフラッシュさせることによりカランから手洗い部２０に矢印のように水Ｗが供給されると、その水Ｗは薬剤Ａを保持した薬液吐出ノズル４を洗うようにしてロータンク内に流下する。したがって、この薬液吐出容器１００ｘによれば、単純な機構で、カランからの給水の度に薬剤Ａをロータンク内に混入させることが可能となる。
【０００６】
薬液タンク１内は、ロータンク内へ供給された薬剤Ａの量に応じて負圧になるが、薬液吐出ノズル４の先端開口部５に付着していた薬剤の希釈液、水又は空気がその先端開口部５から直ちに薬液タンク１内に入るので、薬液タンク１内は弱い負圧状態に戻る。以降、カランから給水される度にこの作用が繰り返され、薬剤Ａがロータンク内に混入する。
【０００７】
しかしながら、ロータンクの手洗い部の形状、手洗水の水量、水圧によって薬液吐出ノズル４の先端開口部５に当たる水量や水圧が変わるために薬剤Ａの吐出量の変動が大きいという問題が生じる。例えば、図８（ｂ）に示すように、吸水口２１の中心に薬液吐出ノズル４が挿入されるように薬液吐出容器１００ｘが載置された場合において、カランからの水Ｗの勢いが弱いと、水Ｗは薬液吐出ノズル４の先端開口部５をさらうことなく、破線矢印のようにロータンク内に流下する。このため、ロータンクへ薬剤Ａが吐出されなくなる。一方、図８（ｃ）に示すように、吸水口２１で薬液吐出ノズル４が偏った位置に載置されると、カランから水Ｗが供給されている間、吸水口２１に流入した水Ｗは、終始、直接的に薬液吐出ノズルの先端開口部５にあたり、流下するので、薬液タンク１内の薬剤Ａが水Ｗの流れに吸引されて過剰吐出となる。また、図９に示す薬液吐出容器１００ｙのように、キャップ３の断面形状をラウンドさせると、カランから供給された水Ｗは、キャップ３に沿ってロータンク内に流れ込むので、薬液吐出ノズル４の先端開口部５は適度に水Ｗに晒されるようになるが、手洗い部２０からロータンク内に流れ込む流路が狭くなり、手洗い部２０に水が溢れやすくなる。
【０００８】
これに対して、本発明は、ロータンクの手洗い部の形状、手洗水の水量、水圧、ロータンクの手洗い部における薬液吐出容器の載置位置によらず、安定的に薬剤Ａを吐出させることのできる薬液吐出容器を提供することを目的とする。
【０００９】
【課題を解決するための手段】
本発明は、ロータンクの手洗い部に載置する薬液吐出容器の底部の薬液吐出ノズルから薬剤をロータンク内に吐出させる場合に、薬液吐出容器の底部に、薬液吐出ノズルを中心として放射状に起立した板状部を設けると、カランから供給された水がその板状部に沿って薬液吐出ノズルの方に流れ、次いで薬液吐出ノズルに沿って流下し、薬液吐出ノズルの先端開口部に誘導されること、したがって、薬液吐出ノズルの先端開口部から安定的に薬剤が吐出することを見出した。
【００１０】
即ち、本発明は、液状の薬剤を収容する薬液タンク、及び薬液タンクの下方に設けられた薬液吐出ノズルからなり、薬液吐出ノズルの先端開口部から水洗トイレの手洗い付きロータンクに薬剤を吐出する薬液吐出容器であって、該薬液吐出容器の底部に、薬液吐出ノズルを中心として放射状に起立した４〜１２枚の板状部が設けられ、カランから供給された水が、薬剤が保持されている薬液吐出ノズルの先端開口部を洗う薬液吐出容器を提供する。
【００１１】
【発明の実施の形態】
以下、図面を参照しつつ、本発明を詳細に説明する。なお、各図中、同一符号は同一または同等の構成要素を表している。
【００１２】
図１は、本発明の一態様の薬液吐出容器１００を正面から見た部分切り欠き断面図（ａ）、側面図（ｂ）、及び底面図（ｃ）である。
【００１３】
この薬液吐出容器１００は、トイレ用芳香剤、洗浄剤、殺菌剤等の液状の薬剤Ａを収容する薬液タンク１と、薬液タンク１の底部開口部２に取り付けられたキャップ３からなる。キャップ３の底部には薬液吐出ノズル４と、薬液吐出ノズル４を中心として放射状に起立した８枚の板状部７と、足６が該キャップ３に一体的に設けられ、さらに、薬液吐出ノズル４の周囲には、該薬液吐出ノズル４に沿って伸びた４枚の水量調整板８が設けられている。薬液吐出ノズル４の先端開口部５には、薬剤Ａが、表面張力と薬液タンク１内が弱い負圧状態になることにより保持される。また、薬液タンク１上には、着脱自在に天板１０が設けられている。
【００１４】
ここで、キャップ３の側面から底面にかけてはラウンド形状となっている。これにより、カランから供給された水Ｗがキャップ３に沿って薬液吐出ノズル４の方に流れ易くなる。
【００１５】
板状部７は、キャップ３の底面において、薬液吐出ノズル４を中心として放射状に起立したものである限り、その形状は平板でも曲板でもよい。また、キャップ３の底部に設ける板状部７の数は８枚に限らず、４〜１２枚とすることができる。４〜１２枚の板状部７を薬液吐出ノズル４を中心として放射状に設けることにより、ロータンクの手洗い部２０の形状、手洗水の水量、水圧、手洗い部２０における薬液吐出容器１００の載置位置等によらず、カランから供給された水を、板状部７に沿わせて薬液吐出ノズル４の方に流し、次いで、薬液吐出ノズル４に沿わせてロータンク内に流下させることができる。また、キャップ３の底面が吸水口２１を塞ぐことが防止されるので、手洗い部２０に水が溢れることを防止できる。
【００１６】
水量調整板８は、薬液吐出ノズル４の先端開口部５に、カランから水Ｗが供給されている間に終始多量の水が当たり続けることによって、薬剤Ａの過剰吐出が引き起こされることを防止するものである。
【００１７】
水量調整板８は、薬液吐出ノズル４よりも長く形成し、その先端が先端開口部５から突出するように形成することが好ましい。水量調整板８が薬液吐出ノズル４よりも短い場合には、水流が強いとき、あるいは水量が多いときに、過剰吐出が引き起こされる場合がある。薬液吐出ノズル４の周囲に設ける水量調整板８の数は、４枚に限られないが、３〜８枚とすることが好ましい。
【００１８】
薬液吐出ノズル４の形状は、図３に示すように、内径がそのまま先端開口部５の孔径ａとなっている筒状としてもよいが、図４に示すように、内径ｂに対して先端開口部５の孔径ａが狭い絞りノズルとすることが好ましい。これにより、薬液タンク１内の負圧によって先端開口部５から吸い込まれた水又は空気がノズル内で閉塞状態となり、そのために薬剤Ａの吐出不良が生じることを防止できる。
【００１９】
さらに、薬液吐出ノズル４の形状は、図５に示すように、破線で丸囲みした先端縁部９を鋭角とすることが好ましい。これにより、先端開口部５に薬剤Ａを保持する表面張力が弱まり、カランからの給水の度に、先端開口部５に保持されていた薬剤Ａが確実に水Ｗで洗われ、ロータンク内に吐出されるようになる。
【００２０】
薬液吐出ノズル４の先端縁部９を鋭角に形成する態様としては、図５の態様に限らず、図６のように薬液吐出ノズル４の外径は一定とし、内径を変えることにより先端縁部９を鋭角にしてもよく、また、図７に示すように、外径、内径共に先端部に向かって狭め、先端縁部９に鋭角を形成したものでもよい。
【００２１】
薬液吐出ノズル４の先端開口部５の孔径ａの好ましい大きさは、薬剤Ａの粘度等に応じて定まる。本発明においては、薬剤Ａとして、粘度５〜１０００ｍＰａ・ｓ（２０℃）に調整したものを使用し、先端開口部５の孔径ａは１〜５ｍｍとすることが好ましい。薬剤Ａの粘度が１０００ｍＰａ・ｓを超えるか、又は先端開口部５の孔径が１ｍｍよりも狭いと、薬液タンク１から薬液吐出ノズル４の先端にまで薬剤Ａが導出されにくくなる。反対に薬剤Ａの粘度が５ｍＰａ・ｓよりも低いか、又は先端開口部５の孔径が５ｍｍよりも広いと、先端開口部５から薬剤Ａが過度に漏出し易くなる。
【００２２】
また、図１に示した薬液吐出容器１００において、天板１０は、カランの水が薬液吐出容器１００の真上から供給される場合に、水Ｗが薬液タンク１に直接的に当たることを防止し、それにより、薬液タンク１からの薬剤Ａの吐出量を、水温あるいは気温の変動によらず、安定化させるため、必要に応じて設けられる。また、カランから供給された水は天板１０にそって放射状に流れ、美しい水のベールの外観を呈するので、薬液吐出容器１００の使用感を向上させる点からも好ましい。
【００２３】
図２に示すように、この薬液吐出容器１００の使用方法としては、まず、薬剤Ａが薬液タンク１に収容されている状態において、薬液吐出容器１００を水洗トイレの手洗い付きロータンクの手洗い部２０の吸水口２１上に載置し、薬液吐出ノズル４を吸水口２１に挿入する。なお、ロータンクの吸水口２１上にカランが設けられ、薬液タンク１の上方から水が供給される場合について、以下に説明するが、ロータンクの吸水口２１上にはカランがなく、したがって、ロータンクの吸水口２１に薬液吐出ノズル４を挿入した場合に、薬液タンク１の側方のカランから水が供給される場合でも、この薬液吐出容器１００は使用することができる。
【００２４】
薬液吐出容器１００を手洗い部２０に載置後、水洗トイレの水がフラッシュされ、カランから水が供給されると、水Ｗは、まず、天板１０に沿って放射状に流れ、次いで薬液タンク１の側面に沿って手洗い部２０に流れ込む。ここで、薬液吐出容器１００の底部をなすキャップ３の底面には、板状部７が、薬液吐出ノズル４を中心として放射状に起立しているので、ロータンクの手洗い部の形状、手洗水の水量、水圧、ロータンクの手洗い部における薬液吐出容器の載置位置等によらず、手洗い部２０に流れ込んだ水Ｗは、板状部７に沿って薬液吐出ノズル４の方に流れ、次いで薬液吐出ノズル４に沿って流下し、先端開口部５を洗うように誘導される。したがって、先端開口部５に保持されていた薬剤Ａが水Ｗでさらわれ、確実にロータンク内に混入する。しかも水量調整板８によって先端開口部５に当たる水量が調整され、先端開口部５に多量の水が当たり続けることが防止されるので、薬剤Ａの過剰吐出が防止される。また、板状部７によってキャップ３の底面が吸水口２１を塞ぐことが妨げられているので、手洗い部２０に水Ｗが溢れることはない。
【００２５】
カランからの給水が止まると薬液吐出ノズル４の先端開口部５に保持されている薬剤Ａをさらう水の流れがなくなり、ロータンク内への薬剤Ａの吐出も止まる。薬液タンク１内は、ロータンク内に混入した薬剤Ａの量に応じて負圧になるが、先端開口部５に付着していた薬剤の希釈液、水又は空気が先端開口部５から薬液タンク１内に入るので、薬液タンク１内は弱い負圧状態に戻り、カランからの給水前と同様に薬液吐出ノズル４の先端開口部５には薬剤Ａが保持される。
【００２６】
以降、カランから給水される度にこの作用が繰り返され、薬剤Ａがロータンク内に混入する。
【００２７】
この薬液吐出容器１００は極めて構成が簡易であり、構成部品の点数が少ない。したがって、この薬液吐出容器１００はローコストに得ることができる。さらに、カランからの給水により確実に適量の薬剤Ａをロータンク内に混入させることができ、水Ｗが手洗い部２０に溢れることもない。
【００２８】
本発明において、薬液吐出容器は種々の態様をとることができる。例えば、上述の例では、薬液タンク１の底部開口部２にキャップ３を設け、そのキャップ３の底面に板状部７を設けているが、本発明においては、キャップ３を設けることなく、薬液タンク１に直接薬液吐出ノズル４を形成してもよい。その場合には、薬液タンク１の底面に板状部７を形成する。
【００２９】
【発明の効果】
本発明の薬液吐出容器によれば、この薬液吐出容器を水洗トイレの手洗い付きロータンクの手洗い部に載置することにより、ロータンクの手洗い部の形状、手洗水の水量、水圧、ロータンクの手洗い部における薬液吐出容器の載置位置によらず、安定的に薬剤を吐出させることができ、また手洗い部に水が溢れることを防止できる。
【図面の簡単な説明】
【図１】本発明の一態様の薬液吐出容器を正面から見た部分切り欠き断面図（ａ）、側面図（ｂ）、及び底面図（ｃ）である。
【図２】本発明の一態様の薬液吐出容器をロータンクの手洗い部に載置した状態の断面図である。
【図３】薬液吐出ノズルの断面図である。
【図４】薬液吐出ノズルの断面図である。
【図５】薬液吐出ノズルの断面図である。
【図６】薬液吐出ノズルの断面図である。
【図７】薬液吐出ノズルの断面図である。
【図８】薬液吐出容器の斜視図（ａ）、及びロータンクの手洗い部に載置した薬液吐出容器の断面図（ｂ）、（ｃ）である。
【図９】ロータンクの手洗い部に載置した薬液吐出容器の断面図である。
【符号の説明】
１    薬液タンク
２    薬液タンクの底部開口部
３    キャップ
４    薬液吐出ノズル
５    先端開口部
６    足
７    板状部
８    水量調整板
９    薬液吐出ノズルの先端縁部
１０    天板
２０    手洗い部
２１    吸水口
１００    薬液吐出容器
【図１】
0003539427.tif 000002
【図２】
0003539427.tif 000003
【図３】
0003539427.tif 000004
【図４】
0003539427.tif 000005
【図５】
0003539427.tif 000006
【図６】
0003539427.tif 000007
【図７】
0003539427.tif 000008
【図８】
0003539427.tif 000009
【図９】
0003539427.tif 000010